(57)【要約】【課題】  異なったコンテンツを表示させる場合、最適な色温度がそれぞれのコンテンツで異なり、映像を表示する毎に設定を手動で切り替える必要がある。また、異なった映像表示装置を使用した場合、提供者等が意図しない色バランスで表示されることがある。【解決手段】  基準値選択回路４２は再生ジャンル情報４０に基づき、ジャンル情報毎に最適な色温度時の各半導体発光素子の輝度レベル基準値をテーブル化したデータを持つ基準値格納メモリ４３のテーブルを参照し、再生ジャンル情報４０に最適な輝度レベル基準値を選択して比較回路４４へ供給する。比較回路４４は、光源からの光の光強度を測定するセンサ３１からの光強度測定値と基準値とを比較し、各原色光毎にそれらの差分信号を得て制御回路４６に供給する。制御回路４６は、駆動回路４７を介して半導体発光素子アレイ２２の出力原色光の光量を再生ジャンル情報４０に最適なレベルに設定する。【選択図】            図１
2005309325.tif 000002
【特許請求の範囲】
【請求項１】
入力手段により、所望の映像コンテンツの映像信号及び該映像コンテンツのジャンル情報からなる信号を再生又は受信して取り込み、光源を構成する複数の半導体発光素子から出射された複数の単色光が照射される表示手段により、前記入力手段により取り込んだ前記所望の映像コンテンツの映像信号を画像として表示する映像表示装置であって、
複数の映像コンテンツの各ジャンルに応じた最適な色温度の、前記複数の半導体発光素子の出力原色光の輝度レベルを示す基準値がテーブルとして予め格納されている基準値格納メモリと、
前記光源からの前記複数の単色光の光強度を別々に測定する光強度測定手段と、
前記入力手段により取り込んだ前記ジャンル情報に基づき、前記基準値格納メモリを参照してそのジャンル情報に対応した前記基準値を選択する基準値選択手段と、
前記基準値選択手段により選択された基準値と、前記光強度測定手段により測定された光強度とを比較し、その比較結果に応じて、前記選択された基準値に前記測定された光強度が一致するように前記光源を構成する前記複数の半導体発光素子の単位時間当りの発光量を可変設定する制御手段と
を有し、前記表示手段による前記映像信号の表示前に前記光源の発光量の設定を完了することを特徴とする映像表示装置。
【請求項２】
入力手段により、所望の映像コンテンツの映像信号及び該映像コンテンツのジャンル情報からなる信号を再生又は受信して取り込み、光源を構成する複数の半導体発光素子から出射された複数の単色光が照射される表示手段により、前記入力手段により取り込んだ前記所望の映像コンテンツの映像信号を画像として表示する映像表示装置であって、
前記入力手段により取り込まれた前記映像信号及び光源の設定情報をそれぞれ分離すると共に、分離した前記光源の設定情報に応じて、前記複数の半導体発光素子の出力原色光の輝度レベルを示す基準値を演算算出するデコード手段と、
前記デコード手段により算出された前記基準値に応じて、前記光源を構成する前記複数の半導体発光素子の単位時間当りの発光量を可変設定する制御手段と
を有し、前記表示手段による前記映像信号の表示前に前記光源の発光量の設定を完了することを特徴とする映像表示装置。
【発明の詳細な説明】
【技術分野】
【０００１】
本発明は映像表示装置に係り、特に光強度制御が可能な複数の半導体発光素子を光源に有する映像表示装置に関する。
【背景技術】
【０００２】
既に開始されているＢＳデジタル放送や、２００４年１２月より一部の地域限定ではあるが本放送が始まる地上波デジタル放送など、今後デジタル放送が盛んに行われる。このデジタル放送では、通常の映像情報の他に、データ情報も送信信号に重畳することが可能となっている。また、デジタル放送を受信し表示する映像表示装置として、今後液晶モニタやプロジェクタ等が主流になると考えられる。
【０００３】
また、現在、ＡＤＳＬや光ネットワークなど、ブロードバンドの家庭への普及により、インターネットなどのネットワーク上で映像コンテンツの配信が盛んに行われ、ブロードバンド回線に接続されたパーソナルコンピュータ（以下、パソコン又はＰＣという）上で閲覧することが可能となっている。
【０００４】
また、家電製品においてもインターネットとの接続が行われており、現在は番組表やインターネット予約に留まっているが、今後ネット配信による映像コンテンツを受信し、ＰＣを介さずに映像を閲覧することが予想される。このような映像閲覧に使用される映像表示装置も今後液晶モニタやプロジェクタ等が主流になると考えられる。
【０００５】
一方、現在の液晶モニタやプロジェクタといった映像表示装置において、その光源となる発光体は高輝度を実現するためにハロゲンランプや高圧水銀ランプを用いたものが主流である。しかしながら、これらの光源を用いた映像表示装置は、光出力制御を行うことが極めて困難であるため、光源の光出力を制御することによる階調範囲（ダイナミックレンジ）が狭くなってしまい、映像の品質や迫力の点で陰極線管（ＣＲＴ）と比較すると劣ってしまう。
【０００６】
そのため、光強度制御が可能な半導体発光素子を光源とする従来の映像表示装置が提案されている（例えば、特許文献１参照）。半導体発光素子を用いた光源は、高温対策、環境問題等の点から望ましく、また、白色光の単一光だけではなく、Ｒ（赤）、Ｇ（緑）、Ｂ（青）といった単波長の光源を使用でき、色再現性の良い光源として近年、注目されており、開発が進められている。
【０００７】
図１３は上記の特許文献１記載の従来の映像表示装置の一例の構成図を示す。同図は投射型液晶表示装置を示しており、複数の固体発光素子からなる光源１に近い側から順に、均一照明手段を構成する２枚のフライアイレンズ２、３と、偏光変換手段を構成するＰＢＳアレイ４と、透明圧電素子５が設置された照明装置を備えている。透明圧電素子５により偏光方向の回転各が制御された光源１からの光は、ダイクロイックミラー６により赤色光ＬＲが透過され、それ以外の波長の光はダイクロイックミラー７により緑色光ＬＧが反射し、青色光ＬＢが透過する。
【０００８】
赤色光ＬＲは反射ミラー８で反射されて赤色光用液晶ライトバルブ９に入射し、緑色光ＬＧは緑色光用液晶ライトバルブ１０に入射する。また、青色光ＬＢはリレーレンズ１２、反射ミラー１３、リレーレンズ１４、反射ミラー１５、リレーレンズ１６をそれぞれ経て緑色光用液晶ライトバルブ１７に入射する。液晶ライトバルブ９、１０及び１７によりそれぞれ変調された３原色光は、クロスダイクロイックプリズム１１に入射して、合成された後、投射レンズ１８によりスクリーン１９上に投射され、スクリーン１９に拡大されたカラー画像が表示される。
【０００９】
この従来の液晶表示システムでは、光出力強度が可変とされた複数の固体発光素子を有する光源１から入射される光の照度分布を均一化するフライアイレンズ２及び３による均一照明手段を備え、外部からの情報に基づいて光源１を構成する複数の固体発光素子の光出力強度を制御する構成である。また、映像表示に寄与しない光の強度を測定し、その測定光強度に基づいて、複数の固体発光素子の光出力強度を制御する構成も特許文献１には記載されている。
【００１０】
【特許文献１】特開２００３−１２１９２４号公報
【発明の開示】
【発明が解決しようとする課題】
【００１１】
しかしながら、複数の固体発光素子を用いた従来の映像表示装置は、映像信号に基づき複数の固体発光素子の光量を調節しているため、ダイナミックレンジの改善においては有効であるが、映画やテレビ番組、パソコン画面など異なったコンテンツを表示させる場合、最適な色温度がそれぞれのコンテンツで異なり、映像を表示する毎に設定を手動で切り替えなければならないという問題がある。
【００１２】
この問題は、今後デジタル放送が普及することにより、多チャンネル化が進み様々なコンテンツが視聴者に提供される状況下にあっては、多くの放送コンテンツ毎に映像表示装置の色温度設定を手動で切り替えることが必要となり、ユーザの操作性にとって大きな問題である。
【００１３】
また、異なった映像表示装置を使用してＤＶＤ（Digital Versatile Disk）や半導体メモリなどのコンテンツメディアに記録された映像コンテンツを表示した場合、ダイナミックレンジは確保できるものの、個体差が出ることから必ずしも、提供者又はユーザが意図しない色バランスで表示されてしまう。
【００１４】
本発明は以上の点に鑑みなされたもので、ユーザの手間をかけず、しかもダイナミックレンジを落とすことなく、映像コンテンツに最適な色再現の映像を表示し得る映像表示装置を提供することを目的とする。
【００１５】
また、本発明の他の目的は、異なる映像表示装置を用いた場合においても、提供者の意図した色バランスで表示し得る映像表示装置を提供することにある。
【課題を解決するための手段】
【００１６】
上記目的を達成するため、本発明は、入力手段により、所望の映像コンテンツの映像信号及び映像コンテンツのジャンル情報からなる信号を再生又は受信して取り込み、光源を構成する複数の半導体発光素子から出射された複数の単色光が照射される表示手段により、入力手段により取り込んだ所望の映像コンテンツの映像信号を画像として表示する映像表示装置であって、複数の映像コンテンツの各ジャンルに応じた最適な色温度の、複数の半導体発光素子の出力原色光の輝度レベルを示す基準値がテーブルとして予め格納されている基準値格納メモリと、光源からの複数の単色光の光強度を別々に測定する光強度測定手段と、入力手段により取り込んだジャンル情報に基づき、基準値格納メモリを参照してそのジャンル情報に対応した基準値を選択する基準値選択手段と、基準値選択手段により選択された基準値と、光強度測定手段により測定された光強度とを比較し、その比較結果に応じて、選択された基準値に測定された光強度が一致するように光源を構成する複数の半導体発光素子の単位時間当りの発光量を可変設定する制御手段とを有し、表示手段による映像信号の表示前に光源の発光量の設定を完了することを特徴とする。
【００１７】
この発明では、所望の映像コンテンツの映像信号を光源からの複数の単色光を用いて画像として表示する前に、上記の所望の映像コンテンツの映像信号のジャンル情報を映像信号と共に取り込み、そのジャンル情報で基準値格納メモリを参照して、その基準値格納メモリから最適な光源の出力原色光の輝度レベルを示す基準値を選択し、光強度測定手段により測定された光源からの光の光強度が、選択された基準値に一致するように光源を構成する複数の半導体発光素子の単位時間当りの発光量を可変設定するようにしたため、光源を構成する複数の半導体発光素子の単位時間当りの発光量を、表示する所望の映像コンテンツの映像信号のジャンルに応じた最適な値に設定することができる。
【００１８】
また、上記の目的を達成するため、本発明は、入力手段により、所望の映像コンテンツの映像信号及び映像コンテンツのジャンル情報からなる信号を再生又は受信して取り込み、光源を構成する複数の半導体発光素子から出射された複数の単色光が照射される表示手段により、入力手段により取り込んだ所望の映像コンテンツの映像信号を画像として表示する映像表示装置であって、入力手段により取り込まれた映像信号及び光源の設定情報をそれぞれ分離すると共に、分離した光源の設定情報に応じて、複数の半導体発光素子の出力原色光の輝度レベルを示す基準値を演算算出するデコード手段と、デコード手段により算出された基準値に応じて、光源を構成する複数の半導体発光素子の単位時間当りの発光量を可変設定する制御手段とを有し、表示手段による映像信号の表示前に光源の発光量の設定を完了することを特徴とする。
【００１９】
この発明では、所望の映像コンテンツの映像信号を光源からの複数の単色光を用いて画像として表示する前に、上記の所望の映像コンテンツに最適な光源の設定情報を取り込んで、その光源の設定情報に応じて、光源を構成する複数の半導体発光素子の出力原色光の輝度レベルを示す基準値を演算算出し、その基準値に一致するように、光源を構成する複数の半導体発光素子の単位時間当りの発光量を可変設定するようにしたため、光源を構成する複数の半導体発光素子の単位時間当りの発光量を、表示する所望の映像コンテンツの映像信号に応じた最適な値に設定することができる。
【発明の効果】
【００２０】
本発明によれば、映画やＴＶ番組等の表示する所望の映像コンテンツの映像信号のジャンル情報を映像信号と共に取り込み、そのジャンル情報で基準値格納メモリを参照して、その基準値格納メモリから最適な光源の出力原色光の輝度レベルを示す基準値を選択し、光強度測定手段により測定された光源からの光の光強度が、選択された基準値に一致するように光源を構成する複数の半導体発光素子の単位時間当りの発光量を可変設定することにより、光源を構成する複数の半導体発光素子の単位時間当りの発光量を、表示する所望の映像コンテンツの映像信号のジャンルに応じた最適な値に設定するようにしたため、ユーザの手間をかけず、ダイナミックレンジを落とすことなく、映像コンテンツに最適な色再現の良い映像を提供することができる。
【００２１】
また、本発明によれば、所望の映像コンテンツに最適な光源の設定情報を取り込んで、その光源の設定情報に応じて、光源を構成する複数の半導体発光素子の出力原色光の輝度レベルを示す基準値を演算算出し、その基準値に一致するように、光源を構成する複数の半導体発光素子の単位時間当りの発光量を可変設定することにより、光源を構成する複数の半導体発光素子の単位時間当りの発光量を、表示する所望の映像コンテンツの映像信号に応じた最適な値に設定するようにしたため、ユーザの手間をかけず、映像のダイナミックレンジを落とすことなく色再現の良い映像を提供することができ、また、異なる映像表示装置を用いた場合においても、その映像表示装置毎に上記の基準値を演算算出することにより、提供者の意図した色バランスで映像を表示させることができる。
【発明を実施するための最良の形態】
【００２２】
（第１の実施の形態）
次に、本発明を実施するための最良の形態について図面と共に説明する。図１は本発明になる映像表示装置の第１の実施の形態の構成図を示す。本実施の形態は、複数の半導体発光素子を光源に用いた映像表示装置において、表示する映像コンテンツのジャンル情報を取得し、そのジャンル情報から変換した光源の基準値と、均一化した光源を表示装置内に組み込んだ光強度センサで測定した値とを比較することにより、色温度を常に一定に保ち、そのジャンルにあった映像を映像表示部に表示することが可能な映像表示装置である。
【００２３】
図１に示す映像表示装置は、三原色光を出射する光源装置と、画像表示デバイス３０と、光源装置から出射した三原色光を画像表示デバイス３０に照射する画像表示光学系と、均一にした各色の光強度を測定するセンサ３１と、画像表示デバイス３０に表示された画像光を図示しないスクリーンに投射して表示させる投射光学系とからなる映像表示部を有すると共に、画像入力部及び映像処理及び駆動回路部を備えた構成とされている。
【００２４】
上記の映像表示部中の光源装置は、赤色光を発光する赤色光用半導体発光素子２２Ｒと、緑色光を発光する緑色光用半導体発光素子２２Ｇと、青色光を発光する青色光用半導体発光素子２２Ｂとの組が、一つの矩形状基板２１上に規則的に（アレイ状に）複数組取り付けられた半導体発光素子アレイ２２と、その半導体発光素子アレイ２２から出射した三原色光を集光する集光レンズとして機能する凸レンズ２３とが、光を均一化するためのライトガイド２４内に設けられた構成とされている。なお、半導体発光素子２２Ｒ、２２Ｇ及び２２Ｂとしては、発光ダイオード（ＬＥＤ）を用い得る。
【００２５】
また、上記の映像表示部中の画像表示光学系は、上記の光源装置から出射した三原色光を、平行光に変換するコリメータレンズ２５、２６及び２７と、反射ミラー２８及び２９と、レンズ３２とから構成されている。また、上記の映像表示部中の投射光学系は、レンズ鏡筒３３と投射レンズ３４とから構成されている。上記のセンサ３１は、赤色光用光強度センサ３１Ｒ、緑色光用光強度センサ３１Ｇ及び青色光用光強度センサ３１Ｂからなり、画像表示デバイス３０の近傍位置で、かつ、画像表示デバイス３０には当っていない光源装置から均一に混色された光が照射される位置に置かれ、各々の光強度センサ３１Ｒ、３１Ｇ及び３１Ｂはそれぞれ赤色光、緑色光及び青色光を受光する感度を持ち、均一光源の各色の光強度を測定することで均一光の色温度や輝度レベルを測定する。
【００２６】
また、上記の画像入力部は、ＤＶＤその他のディスクメディア３６や半導体メモリ３７などの記録媒体に記録されている映像信号及び映像コンテンツのジャンル情報を再生する再生装置（図示せず）と、その再生装置からの再生映像信号３９及びジャンル情報４０を内部に取り込む外部インタフェース（Ｉ／Ｆ）３８とから構成されている。ジャンル情報の取得方法としては、ＤＶＤその他のディスクメディア３６や半導体メモリ３７には、映像コンテンツのジャンル等の情報が書き込まれていることから、これらの情報を映像信号に付加することにより取得が可能である。
【００２７】
更に、上記の映像処理及び駆動回路部は、外部Ｉ／Ｆ３８を介して入力された再生映像信号３９に対して公知の信号処理を施す映像処理回路４１と、ジャンル情報毎に最適な色温度時の各半導体発光素子の輝度レベル基準値をテーブル化したデータを持つ基準値格納メモリ４３と、基準値格納メモリ４３からの基準値を再生ジャンル情報４０に応じて選択する基準値選択回路４２と、比較回路４４と、所定のタイミング信号を発生するタイミング発生器４５と、比較回路４４の比較結果に応じて制御信号を発生する制御回路４６と、制御信号に応じて半導体発光素子アレイ２２を駆動する駆動回路４７と、画像表示デバイス３０を駆動する画像表示デバイス駆動回路４８とから構成されている。
【００２８】
次に、本実施の形態の動作について説明する。ディスクメディア３６や半導体メモリ３７などの記録媒体のうち、これから表示しようとする記録媒体には、予め表示すべき映像コンテンツの映像信号と共に、その映像コンテンツのジャンル情報が記録されている。このため、上記の記録媒体を再生装置（図示せず）により再生すると、外部インタフェース（Ｉ／Ｆ）３８を介して再生ジャンル情報４０は基準値選択回路４２に供給され、再生映像信号３９は映像処理回路４１に供給される。
【００２９】
基準値選択回路４２は再生ジャンル情報４０に基づき、ジャンル情報毎に最適な色温度時の各半導体発光素子の輝度レベル基準値をテーブル化したデータを持つ基準値格納メモリ４３のテーブルを参照し、再生ジャンル情報４０に最適な輝度レベル基準値を選択して比較回路４４へ供給する。
【００３０】
ここで、映像コンテンツのジャンルによる最適な色温度として、例えば映画コンテンツなどは６５００Ｋ、ドラマやスポーツなどのＴＶ番組などは９０００Ｋ、ＰＣ画面では１００００Ｋといわれているので、基準値格納メモリ４３には、予め映像コンテンツのジャンルに応じた色温度の図２のようなメモリ・マップを持ち、工場出荷時に各半導体発光素子の輝度レベルが格納されている。基準値選択回路４２は、再生ジャンル情報４０から対象の値が記憶されている基準値格納メモリ４３のアドレスを取得し、そのアドレスに格納されている各発光色の基準となる値を取得することで、再生ジャンル情報４０に最適な輝度レベル基準値を選択することが可能である。
【００３１】
一方、半導体発光素子アレイ２２を構成する各組の半導体発光素子２２Ｒ、２２Ｇ及び２２Ｂからはそれぞれ赤色光、緑色光及び青色光が例えばフィールド毎に切替えられ、各原色光が順次巡回的に出射され、レンズ２３で合成及び集光され、コリメータレンズ２５、２６、２７で平行光とされ、更に反射ミラー２８及び２９で反射されて画像表示デバイス３０に照射される。また、このとき、画像表示デバイス３０の近傍位置であるが、画像表示デバイス３０には当っていない、光源装置から均一に混色された光が照射される位置に置かれた、赤色光用光強度センサ３１Ｒ、緑色光用光強度センサ３１Ｇ及び青色光用光強度センサ３１Ｂは、赤色光、緑色光及び青色光の各光強度を互いに独立して測定して、その光強度測定値を比較回路４４に供給する。
【００３２】
比較回路４４は、赤色光用光強度センサ３１Ｒ、緑色光用光強度センサ３１Ｇ及び青色光強度用センサ３１ＢからのセンサデータをＡ／Ｄ変換して得られた値を現在発光している光源の光強度測定値とし、上記の再生ジャンル情報４０に最適な輝度レベル基準値と比較し、各原色光毎にそれらの差分信号を得て制御回路４６に供給する。制御回路４６は、比較回路４４から供給された各原色光毎の差分信号に所定の係数を乗算した値に、センシング時の各原色光毎のパルス幅を加算した値のパルス幅を駆動回路４７に供給する。駆動回路４７は、上記の差分がゼロ又は最小となるように、半導体発光素子アレイ２２を構成する各組の半導体発光素子２２Ｒ、２２Ｇ及び２２Ｂの出力原色光の発光期間（単位時間当りの発光量）を可変制御する（すなわち、ＰＷＭ制御する。）。この半導体発光素子２２Ｒ、２２Ｇ及び２２Ｂの出力原色光の発光期間（単位時間当りの発光量）の制御により、画像表示デバイス３０の画像を見る人間に知覚される光の輝度や色温度等が可変されることになる。
【００３３】
このようにして、半導体発光素子アレイ２２を構成する各組の半導体発光素子２２Ｒ、２２Ｇ及び２２Ｂの出力原色光の光強度（光量）を再生ジャンル情報４０に最適なレベルに設定する制御動作が完了した後に、ディスクメディア３６や半導体メモリ３７などの記録媒体のうち、これから表示しようとする記録媒体から再生装置（図示せず）により再生された再生映像信号３９が、映像処理回路４１によりガンマ補正やスケーリング等の公知の信号処理が施された後、画像表示デバイス駆動回路４８に供給され、ここでタイミング発生器４５からの同期信号と共に画像表示デバイス３０に供給される。
【００３４】
そして、画像表示デバイス３０に照射された光源装置からの光が、画像表示デバイス３０で表示される画像に応じて適宜反射され、その反射光がレンズ３２及びレンズ鏡筒３３を透過して投射レンズ３４により図示しないスクリーンに投射されることにより、スクリーンに画像が表示される。
【００３５】
このように、本実施の形態によれば、ユーザによる色温度切り換え操作を一切不要とし、しかもダイナミックレンジを落とすことなく、表示する映像コンテンツに最適な色再現で再生映像信号の画像がスクリーンに表示される。
【００３６】
（第２の実施の形態）
次に、本発明の第２の実施の形態について説明する。図３は本発明になる映像表示装置の第２の実施の形態のブロック図を示す。この実施の形態では、ＤＶＤ等のディスクメディア５１や半導体メモリ５２等の記録媒体において、マスタリングする際に、提供者が意図した映像をプロジェクタや液晶モニタに映し出した時に得られるようにするために、映像コンテンツに最適な光源の設定情報として持ち、この光源の設定情報を映像信号（データ）に付加されて記録されている。光源の設定情報としては、映像表示装置５４の光源の輝度レベルや色のバランス情報、色温度の情報等が挙げられる。
【００３７】
上記のように、ディスクメディア５１及び半導体メモリ５２には、図４に示すように、映像信号５６と、映像信号５６の映像コンテンツに最適な光源の設定情報５７とが、加算器５８で加算されて記録データ５９として生成されて記録されている。従って、図３の再生装置５３は、図４に示すように、ディスクメディア５１又は半導体メモリ５２に記録されているデータ５９を再生し、更にその再生データ６０から映像信号５６と光源の設定情報５７とを分離し、図３のプロジェクタ等の映像表示装置５４に転送する機能を有する。
【００３８】
ここで、映像表示装置５４に転送する光源の設定情報としては、分離した光源の設定情報５７そのものを転送する方法も考えられるし、再生装置５３内で光源の設定情報５７から映像表示装置５４の制御信号に変換し、その制御信号と映像信号（データ）５６を転送する方法も考えられる。
【００３９】
図３の映像表示装置５４は、例えば図５に示す構成とされている。図５中、図１と同一構成部分には同一符号を付し、その説明を省略する。図５において、映像表示装置５４は、再生された映像信号及び光源の設定情報を外部Ｉ／Ｆ３８を介して取り込み、デコード部６１で映像信号と光源の設定情報を分離し、分離した映像信号は映像処理回路４１に供給する一方、分離した光源の設定情報は三原色の各色の発光量の基準値にデコードし、基準値格納メモリ６２にその基準値を格納する。基準値にデコードする手段としては、デコーダ部６１内のメモリ上にデータ変換のテーブルを持ち、三原色の各色の発光量若しくは発光時間に変換する方法がある。
【００４０】
すなわち、第１の実施の形態ではディスクメディア３６や半導体メモリ３７に記録されていた基準値データを再生してそのまま基準値として映像表示装置で使用していたのに対し、本実施の形態では、ディスクメディア５１や半導体メモリ５２から再生した光源の設定情報５７に基づいて、映像表示装置５４内のデコード部６１で基準値を生成し、選択する点に特徴がある。
【００４１】
基準値格納メモリ６２に格納された基準値は制御回路６３に供給され、ここでタイミング発生器４５よりのタイミング信号に基づき、各色発光量の基準値に合わせて各色の制御信号に変換された後、駆動回路４７を制御する。これにより、駆動回路４７は、上記の各色発光量の基準値に一致するように、半導体発光素子アレイ２２を構成する各組の半導体発光素子２２Ｒ、２２Ｇ及び２２Ｂの出力原色光の発光期間を可変制御する。この制御が完了した後で、映像処理回路４１により処理された再生映像信号の映像表示が行われる。
【００４２】
このようにして、本実施の形態によれば、半導体発光素子アレイ２２を構成する各組の半導体発光素子２２Ｒ、２２Ｇ及び２２Ｂの出力原色光の発光期間（単位時間当りの発光量）を、光源の輝度レベルや色のバランス情報、色温度の情報等に応じた各色発光量の基準値に応じて可変制御することにより、表示する映像コンテンツに最適な色再現を実現することができる。また、異なる映像表示装置を用いた場合でも、提供者の意図した色バランスで映像を表示できる。
【００４３】
（第３の実施の形態）
次に、本発明の第３の実施の形態について説明する。図６は本発明になる映像表示装置の第３の実施の形態のブロック図を示す。同図中、図１、図５と同一構成部分には同一符号を付し、その説明を省略する。図６において、ディスクメディア５１及び半導体メモリ５２には、前述したように、映像信号と、映像信号の映像コンテンツに最適な光源の設定情報とが記録データとして記録されており、図示しない再生装置はディスクメディア５１又は半導体メモリ５２の記録データを再生して再生データを得、更にその再生データからデータ分離部６５により映像信号６７と光源の設定情報６６とを分離する。映像信号６７は映像表示装置内の映像処理回路６９に供給されてガンマ補正、スケーリング等の所定の信号処理が施され、光源の設定情報６６は映像表示装置内のデコード部６８に供給される。
【００４４】
映像表示装置内のデコード部６８は光源の設定情報６６から三原色の各色の発光量の基準値にデコードし、基準値格納メモリ６２にその基準値を格納する。基準値格納メモリ６２に格納された各色の発光量の基準値は比較回路４４に供給され、ここでタイミング発生器４５よりのタイミング信号に基づき、画像表示デバイス３０には当たっていない三原色の各色の均一光の光強度を測定するセンサ３１からの光強度検出信号と比較される。
【００４５】
制御回路４６は比較回路４４から供給された各原色光毎の発光量の差分信号に基づき、駆動回路４７を制御する。これにより、駆動回路４７は、上記の差分がゼロ又は最小となるように、半導体発光素子アレイ２２を構成する各組の半導体発光素子２２Ｒ、２２Ｇ及び２２Ｂの出力原色光の発光期間（単位時間当りの発光量）を可変制御する。この制御が完了した後で、映像処理回路６９により処理された再生映像信号６７の映像表示が行われる。
【００４６】
本実施の形態では、センサ３１を用いているが、これは一般にＬＥＤ等の半導体発光素子アレイ２２を構成する各組の半導体発光素子２２Ｒ、２２Ｇ及び２２Ｂが、温度特性や経時変化により光出力変動が生じるため、センサ３１で半導体発光素子アレイ２２から出射される光の光強度を測定し、フィードバックをかけて半導体発光素子アレイ２２の光出力強度を制御することで、上記の光出力変動を少なく、安定した光強度を得るためである。
【００４７】
このように、本実施の形態によれば、ディスクメディア５１や半導体メモリ５２から最適な光源の設定情報６６を受け取り、その光源の設定情報６６から基準値を生成するだけでなく、更にセンサ３１により測定された均一化された各色の光強度の測定値とを比較することにより、半導体発光素子アレイ２２の光出力強度を経時変化や温度特性による光出力変動の防止し、色のバランスを常に一定にする。
【００４８】
次に、光強度の測定方法及びセンサ３１の配置位置の例について説明する。図７に示すように、ライトガイド２４の出力開口部を画像表示デバイス３０の上部に拡張し、画像表示デバイス３０の上部に赤色光用光強度センサ３１Ｒ、緑色光用光強度センサ３１Ｇ及び青色光用光強度センサ３１Ｂを置くことで、画像表示デバイス３０には照射されていない均一光を面６９に照射する方法、又は図８に示すように、画像表示デバイス３０を含む開口部を円形にし、画像表示デバイス３０には照射されていない均一光を面７０に照射して映像に関係のない光を測定する方法が挙げられる。
【００４９】
なお、図７及び図８の例では、画像表示デバイス３０の上部に赤色光用光強度センサ３１Ｒ、緑色光用光強度センサ３１Ｇ及び青色光用光強度センサ３１Ｂを配置しているが、光学系の設計、取り付け方により、上部、下部、もしくは画像表示デバイス３０の左右の側部に置くことも可能である。また、画像表示デバイス３０内部に赤色光用光強度センサ３１Ｒ、緑色光用光強度センサ３１Ｇ及び青色光用光強度センサ３１Ｂを組み込む方法も考えられる。
【００５０】
このように、各発光体色の光強度センサ３１Ｒ、３１Ｇ及び３１Ｂを画像表示デバイス３０の側に置き、各色の光強度センサ３１Ｒ、３１Ｇ及び３１Ｂからの光強度測定値と、基準値格納メモリ６２からの光源の設定情報に基づく各色の発光量の基準値とを比較回路４４で比較し、各色の輝度レベル及び、色バランスの差分情報を制御回路４６に渡して、各色の半導体発光素子２２Ｒ、２２Ｇ及び２２Ｂの駆動情報に反映させ、各色の半導体発光素子２２Ｒ、２２Ｇ及び２２Ｂの発光量を制御することにより、安定した色バランスの光源が得られ、表示する映像コンテンツに最適な色再現を実現することが可能となる。
【００５１】
（第４の実施の形態）
次に、本発明の第４の実施の形態について説明する。図９は本発明になる映像表示装置の第４の実施の形態を含む放送システムのシステム構成図、図１０は本発明になる映像表示装置の第４の実施の形態の構成図を示す。図９において、デジタル放送のコンテンツ提供者（放送局等）７１では、ディスク７２、テープ７３、あるいはサーバー７４を用いて得た放送する所望の映像コンテンツの映像信号７５に、コンテンツ映像に最適な色バランスで表示するために、その映像コンテンツに適した照明の色分布情報や輝度情報等の光源の基準値情報７６を付加して送信データを生成し、その送信データを変調器７７で変調して１つのデジタル放送チャンネルとして衛星アンテナ７８や電波塔８１から送信する。
【００５２】
衛星アンテナ７８から送信された放送信号は、人工衛星７９で中継されて、一般家庭等のコンテンツ受信者の受信用パラボラアンテナ８０で受信され、受信機８３に供給されて復調される。あるいは、電波塔８１から送信された地上波の放送信号は、一般家庭等のコンテンツ受信者の受信アンテナ８２で受信され、受信機８３に供給されて復調される。
【００５３】
受信機８３で復調して得られた送信データに対応した受信データは、映像表示装置８５内で映像信号７５と光源の基準値情報７６とに分離され、映像信号７５は液晶モニタ８７やプロジェクタ８８で画像表示される。このとき、光源の基準値情報７６は、液晶モニタ８７の光源やプロジェクタ８８の光源の各色の半導体発光素子の制御を行うための基準値として用いられ、その結果、液晶モニタ８７やプロジェクタ８８で画像表示される画像は、その映像コンテンツに最適であるとデジタル放送コンテンツ提供者７１が意図する色表現にて表示される。
【００５４】
上記の映像表示装置８５は、図１０に示す本発明になる映像表示装置の第４の実施の形態の構成図中、受信機８３以外の構成である。同図中、図１、図９と同一構成部分には同一符号を付し、その説明を省略する。図１０において、受信機８３で復調して得られた送信データに対応した受信データは、外部インタフェース（Ｉ／Ｆ）８９を介してデコード部９０に供給され、ここで前述した映像信号７５と光源の基準値情報７６とに分離される。
【００５５】
分離された映像信号７５は映像処理回路４１に供給されてガンマ補正、スケーリング等の所定の信号処理が施された後、画像表示デバイス駆動回路４８を通して画像表示デバイス３０をドライブする。そして、入射してきた光源からの光によりレンズ３２、レンズ鏡筒３４及び投射レンズ３５を通してスクリーン（図示せず）に投射される。
【００５６】
一方、分離された光源の基準値情報７６は、一度基準値格納メモリ９１に記憶された後、順次比較回路４４により読み取られ、ここでセンサ３１（赤色用センサ３１Ｒ、緑色用センサ３１Ｇ及び青色用センサ３１Ｂ）から供給される光強度測定値と比較される。
【００５７】
以下、第１の実施の形態と同様にして、基準値と赤色用センサ３１Ｒ、緑色用センサ３１Ｇ及び青色用センサ３１Ｂからの光強度測定値との差分信号が制御回路４６に供給され、その差分信号により駆動回路４７による半導体発光素子アレイ２２を構成する各組の半導体発光素子２２Ｒ、２２Ｇ及び２２Ｂの発光タイミングを制御して、上記の差分がゼロ又は最小となるように、それらの出力原色光の発光期間（単位時間当りの発光量）を可変制御する。この制御が完了した後で、映像処理回路４１により処理された再生映像信号７５の映像表示が行われる。
【００５８】
このように、本実施の形態によれば、Ｒ，Ｇ，Ｂの半導体発光素子を照明装置として使用した液晶モニタやプロジェクタ等の映像表示装置において、デジタル放送を受信し、閲覧する際に、映像コンテンツに最適な光源基準値情報（色分布情報や輝度情報）を映像信号に付加した信号をコンテンツ提供者（放送局等）７１が送信し、そのデータを受信して映像表示装置８５を用いて閲覧することにより、ユーザが数多くの映像コンテンツ毎に色バランスの設定をすることなく、映像コンテンツに最適な色表現ができる。
【００５９】
（第５の実施の形態）
次に、本発明の第５の実施の形態について説明する。図１１は本発明になる映像表示装置の第５の実施の形態のシステム構成図、図１２は図１１の要部の一実施の形態の構成図を示す。本実施の形態は、今後益々普及していくと考えられるネットワークによる映像配信を利用した映像コンテンツの閲覧に用いる半導体発光素子を利用した映像表示装置における光源を、配信される映像データに付加した基準値に基づき自動的に制御して、映像コンテンツに最適な色表現を実現できるようにしたものである。
【００６０】
図１１において、インターネットやイントラネットといったネットワーク９５を介して、映像を配信するためのサーバー９６と、家庭内のホームＰＣ９７と、映像表示装置９８とが接続されている。従来はサーバー９６には複数の映像コンテンツのデータがデータベース化されている。また、ホームＰＣ９７内には、サーバー９６から取得した映像データを保管することが可能である。
【００６１】
これに対し、本実施の形態では、半導体発光素子を光源として持つ映像表示装置９８に配信した映像データを表示する際、配信した映像データに係る映像コンテンツに適した光源の基準値データ（輝度及び色彩分布データ等）を映像データに付加したデータ（９９ａ，９９ｂ，９９ｃ，・・・）をサーバー９６に格納し、ユーザは選択した映像データと共に光源の基準値データが付加されたデータ１００を常に取得することを特徴としている。
【００６２】
近年のホームＰＣの表示装置として、液晶モニタが主流になってきており、ホームＰＣを利用した映像配信サービスを受ける際に、ホームＰＣ９７は、ネットワーク９５を介してサーバー９６から取得した映像データとその光源の基準となるデータ１０１を常に一対として取得し、ＰＣ内部でこの光源の基準値データをもとに、液晶モニタの光源を制御し、映像コンテンツに最適な色表現が可能となる。
【００６３】
また、映像表示装置９８はネットワーク９５と接続する手段をもち、映像表示装置９８からインターネット等のネットワーク９５を介して映像配信サーバー９６に接続、もしくは、イントラネット等のネットワーク９５を介してホームＰＣ９７に接続し、映像データと光源の基準値情報を取得し、映像表示装置９８内で映像データと光源の基準値データを分離し、光源の基準値データにより映像表示装置９８の光源を制御することにより配信された映像コンテンツに最適な照明を得ることができ、ユーザの手間をかけずに色再現の良い映像設定を行うことができる。
【００６４】
次に、映像表示装置９８について図１２を参照して説明する。同図中、図１と同一構成部分には同一符号を付し、その説明を省略する。図１２に示す映像表示装置９８は、図１１に示した映像配信サーバー９６もしくはホームＰＣ９７とネットワーク９５を介して接続するための外部Ｉ／Ｆ１０２を持ち、映像信号及び光源の基準値データを受け取り、デコード部１０３で光源の基準値情報１０５と映像信号１０６に分離する。
【００６５】
分離された映像信号１０６は映像処理部４１で所定の信号処理が施された後、画像表示デバイス３０をドライブする。一方、分離された光源の基準値データ１０５は、一度基準値格納メモリ１０４に記憶された後、比較回路４４に供給され、ここでセンサ３１（赤色用センサ３１Ｒ、緑色用センサ３１Ｇ及び青色用センサ３１Ｂ）から供給される光強度測定値と比較される。
【００６６】
以下、第１の実施の形態と同様にして、基準値と赤色用センサ３１Ｒ、緑色用センサ３１Ｇ及び青色用センサ３１Ｂからの光強度測定値との差分信号に基づき、駆動回路４７を制御し、上記の差分がゼロ又は最小となるように、半導体発光素子アレイ２２を構成する各組の半導体発光素子２２Ｒ、２２Ｇ及び２２Ｂの出力原色光の発光期間（単位時間当りの発光量）を可変制御する。この制御が完了した後で、映像処理回路４１により処理された再生映像信号１０６の映像表示が行われる。
【００６７】
このように、本実施の形態によれば、配信される映像データに光源の基準値情報を付加することにより、ユーザが手間をかけることなく各映像コンテンツに最適な照明を可能とし、色再現の良い映像を取得することができる。
【００６８】
なお、本発明は以上の実施の形態に限定されるものではなく、例えば、第１の実施の形態でディスクメディア３６や半導体メモリ３７に記録されている映像コンテンツの映像信号とその映像コンテンツのジャンル情報を、第４の実施の形態のようにデジタル放送コンテンツ提供者が放送するか、第５の実施の形態のようにサーバーからネットワークを介して配信するようにしてもよい。
【図面の簡単な説明】
【００６９】
【図１】本発明の第１の実施の形態の要部を示す構成図である。
【図２】図１中の基準値格納メモリのメモリマップの一例を示す図である。
【図３】本発明の第２の実施の形態のブロック図である。
【図４】図３中の再生装置の動作説明図である。
【図５】図３中の映像表示装置の一実施の形態の構成図である。
【図６】本発明の第３の実施の形態のブロック図である。
【図７】図６中の光強度測定センサの配置位置の一例を示す図である。
【図８】図６中の光強度測定センサの配置位置の他の例を示す図である。
【図９】本発明の第４の実施の形態を含む放送システムのシステム構成図である。
【図１０】本発明の第４の実施の形態の構成図である。
【図１１】本発明の第５の実施の形態のシステム構成図である。
【図１２】図１１中の映像表示装置の一実施の形態の構成図である。
【図１３】従来の映像表示装置の一例の構成図である。
【符号の説明】
【００７０】
２２  半導体発光素子アレイ
２２Ｒ  赤色光用半導体発光素子
２２Ｇ  緑色光用半導体発光素子
２２Ｂ  青色光用半導体発光素子
２４  ライトガイド
３０  画像表示デバイス
３１  センサ
３１Ｒ赤色光用光強度センサ
３１Ｇ  緑色光用光強度センサ
３１Ｂ  青色光用光強度センサ
３４  投射レンズ
３６、５１  ディスクメディア
３７、５２  半導体メモリ
４１  映像処理回路
４２  基準値選択回路
４３、６２、９１、１０４  基準値格納メモリ
４４  比較回路
４６、６３  制御回路
４７  駆動回路
４８  画像表示デバイス駆動回路
５３  再生装置
５４、８５、９８  映像表示装置
６１、６８、９０、１０３  デコード部
６５  データ分離部
７１  デジタル放送コンテンツ提供者（放送局等）
７５  映像信号
７６  光源の基準値情報
８３  受信機
９５  ネットワーク
９６  サーバー
９７  ホームＰＣ
【図１】
2005309325.tif 000003
【図２】
2005309325.tif 000004
【図３】
2005309325.tif 000005
【図４】
2005309325.tif 000006
【図５】
2005309325.tif 000007
【図６】
2005309325.tif 000008
【図７】
2005309325.tif 000009
【図８】
2005309325.tif 000010
【図９】
2005309325.tif 000011
【図１０】
2005309325.tif 000012
【図１１】
2005309325.tif 000013
【図１２】
2005309325.tif 000014
【図１３】
2005309325.tif 000015